(57)【要約】【課題】メディアに記録されたデータを再生する際に、画像データおよび音声データを任意に組み合わせて簡易に再生できるようにする。【解決手段】ＤＶＤプレーヤー１にＡＶアンプ３０を介してＣＤプレーヤー３１を接続し、ＤＶＤプレーヤー１に静止画像データＳ０が記録されたメディアＭ１を、ＣＤプレーヤー３１に音声データを記録したメディアＭ２を挿入する。再生時には、メディアＭ１に記録された静止画像データＳ０およびメディアＭ２に記録された音声データの選択画面をテレビ３に表示し、再生するデータの選択を受け付ける。そして、選択された静止画像データＳ０と音声データとを同時に再生する。【選択図】　　　　　図１
2004120402.tif 000002
【特許請求の範囲】
【請求項１】
第１のメディアに記録された複数の画像データから再生する画像データの選択を受け付け、
第２のメディアに記録された複数の音声データから前記選択された画像データとともに再生する音声データの選択を受け付け、
前記選択された画像データを前記第１のメディアから読み出すとともに、前記選択された音声データを前記第２のメディアから読み出して、該読み出された画像データおよび音声データを同時に再生することを特徴とするデータ再生方法。
【請求項２】
前記画像データおよび前記音声データの選択画面を表示し、
該選択画面において前記画像データおよび前記音声データの選択を受け付けることを特徴とする請求項１記載のデータ再生方法。
【請求項３】
第１のメディアに記録された複数の画像データから再生する画像データの選択を受け付けるとともに、第２のメディアに記録された複数の音声データから前記選択された画像データとともに再生する音声データの選択を受け付ける選択受け付け手段と、
前記選択された画像データを前記第１のメディアから読み出すとともに、前記選択された音声データを前記第２のメディアから読み出して、該読み出された画像データおよび音声データを同時に再生する再生制御手段とを備えたことを特徴とするデータ再生装置。
【請求項４】
前記画像データおよび前記音声データの選択画面を表示する表示手段をさらに備え、
前記選択受け付け手段は、前記選択画面において前記画像データおよび前記音声データの選択を受け付ける手段であることを特徴とする請求項３記載のデータ再生装置。
【請求項５】
第１のメディアに記録された複数の画像データから再生する画像データの選択を受け付ける手順と、
第２のメディアに記録された複数の音声データから前記選択された画像データとともに再生する音声データの選択を受け付ける手順と、
前記選択された画像データを前記第１のメディアから読み出すとともに、前記選択された音声データを前記第２のメディアから読み出して、該読み出された画像データおよび音声データを同時に再生する手順とを有するデータ再生方法をコンピュータに実行させるためのプログラム。
【請求項６】
前記画像データおよび前記音声データの選択画面を表示する手順をさらに有し、
前記画像データの選択および前記音声データの選択を受け付ける手順は、前記選択画面において前記画像データおよび前記音声データの選択を受け付ける手順である請求項５記載のプログラム。
【発明の詳細な説明】
【０００１】
【発明の属する技術分野】
本発明は、静止画像や動画像を表す画像データと音声データとを同時に再生するデータ再生方法および装置並びにデータ再生方法をコンピュータに実行させるためのプログラムに関するものである。
【０００２】
【従来の技術】
ＤＶＤプレーヤーを用いることにより、ＤＶＤに記録されたＤＶＤ−Ｖｉｄｅｏ形式の動画像データや、ＣＤに記録されたＶｉｄｅｏ−ＣＤ形式の動画像データを家庭用のテレビにおいて再生したり、ＣＤに記録された音楽を再生して楽しむことができる。一方、ＤＶＤやＣＤ等のメディアに、デジタルカメラ等により取得した静止画像データを記録し、ＤＶＤプレーヤーにより静止画像データを再生することも可能となってきている。これにより、デジタルカメラにより取得した画像データや、フイルムに記録された画像を読み取ることにより得た画像データをメディアに記録すれば、自身が撮影した画像を家庭用のテレビに表示して家族や友人とともに楽しむことができる。
【０００３】
一方、デジタルカメラのユーザが撮影により取得した静止画像データや動画像データ、さらには音声データを、上述したＤＶＤ−Ｖｉｄｅｏ形式やＶｉｄｅｏ−ＣＤ形式の動画像データにオーサリングし、ユーザが所望とするように静止画像、動画像および音声を再生することが行われている。ここで、オーサリングにより得られた動画像データをＤＶＤ−ＲやＣＤ−Ｒに記録すれば、ＤＶＤプレーヤーを用いることにより、家庭用のテレビにおいてユーザが撮影した静止画像や動画像を再生して楽しむことができる。
【０００４】
また、メディアに記録された画像データと、これに対応付けられて同一のメディアに記録された音声データとを同時に再生する方法が提案されている（例えば、特許文献１参照）。この方法によれば、ユーザが取得した画像データと、画像データに対応付けられた音声とを同時に再生することができる。
【０００５】
【特許文献１】
特開平６−２０４４３号公報
【０００６】
【発明が解決しようとする課題】
しかしながら、上述したように画像データと音声データとを同時に再生するためには、オーサリングのアプリケーションを用いて、動画像データに含める静止画像データ、動画像データおよび音声データをオーサリングする必要があるため、オーサリングの知識が必要となり、ユーザの負担が大きい。これに対して、上記特開平６−２０４４３号公報に記載された方法によれば、画像データおよび音声データを選択しさえすれば、画像データと音声データとを同時に再生することができる。しかしながら、画像データとともに再生できるのは、画像データと対応付けられた音声データのみであるため、再生する音声データの選択肢が少なく、画像データと所望とする音声データとを任意に組み合わせて再生することができないという問題がある。
【０００７】
本発明は上記事情に鑑みなされたものであり、画像データおよび音声データを任意に組み合わせて簡易に再生することを目的とする。
【０００８】
【課題を解決するための手段】
本発明によるデータ再生方法は、第１のメディアに記録された複数の画像データから再生する画像データの選択を受け付け、
第２のメディアに記録された複数の音声データから前記選択された画像データとともに再生する音声データの選択を受け付け、
前記選択された画像データを前記第１のメディアから読み出すとともに、前記選択された音声データを前記第２のメディアから読み出して、該読み出された画像データおよび音声データを同時に再生することを特徴とするものである。
【０００９】
なお、本発明によるデータ再生方法においては、前記画像データおよび前記音声データの選択画面を表示し、
該選択画面において前記画像データおよび前記音声データの選択を受け付けるようにしてもよい。
【００１０】
本発明によるデータ再生装置は、第１のメディアに記録された複数の画像データから再生する画像データの選択を受け付けるとともに、第２のメディアに記録された複数の音声データから前記選択された画像データとともに再生する音声データの選択を受け付ける選択受け付け手段と、
前記選択された画像データを前記第１のメディアから読み出すとともに、前記選択された音声データを前記第２のメディアから読み出して、該読み出された画像データおよび音声データを同時に再生する再生制御手段とを備えたことを特徴とするものである。
【００１１】
なお、本発明によるデータ再生装置においては、前記画像データおよび前記音声データの選択画面を表示する表示手段をさらに備えるものとし、
前記選択受け付け手段を、前記選択画面において前記画像データおよび前記音声データの選択を受け付ける手段としてもよい。
【００１２】
なお、本発明によるデータ再生方法をコンピュータに実行させるためのプログラムとして提供してもよい。
【００１３】
【発明の効果】
本発明によれば、第１のメディアに記録された複数の画像データから再生する画像データの選択が受け付けられるとともに、第２のメディアに記録された複数の音声データから再生する音声データの選択が受け付けられる。そして、選択された画像データが第１のメディアから読み出されるとともに、選択された画像データが第２のメディアから読み出され、読み出された画像データおよび音声データが同時に再生される。このため、オーサリングの知識がなくても再生したい画像データおよび音声データを選択するという簡易な操作を行うのみで、画像データおよび音声データを同時に再生することができる。
【００１４】
また、第２のメディアに記録された複数の音声データから、画像データとともに再生する音声データを選択すればよいため、画像データとともに再生する音声データの選択肢を広げることができる。
【００１５】
【発明の実施の形態】
以下図面を参照して本発明の実施形態について説明する。図１は本発明の実施形態によるデータ再生装置を適用したＤＶＤプレーヤーの構成を示す概略ブロック図である。図１に示すように、本実施形態によるＤＶＤプレーヤー１は、メディアＭ１の挿入を受け付けてメディアＭ１に記録された動画像データ、静止画像データおよび音声データ等を読み出すメディアドライブ１１と、動画像データ、静止画像データおよび音声データをデコードするデコーダー１２と、動画像データ、静止画像データおよび音声データを再生等するためのプログラムや種々の情報を記録したＲＯＭ１３と、種々のデータを一時的に記憶したり、処理の作業領域となるＲＡＭ１４と、リモコン１５からの操作を受け付ける受信部１６と、テレビ３を接続するためのテレビ端子１７と、メモリカードリーダー、ハードディスク、プリンタ、ＡＶアンプ等の外部機器を接続するためのＵＳＢ、ＩＥＥＥ等の規格からなる入出力端子１８と、後述するように画像データおよび音声データの選択時にテレビ３に表示するデータ選択画面を生成する画面生成手段２１と、メディアドライブ１１、デコーダー１２、ＲＯＭ１３、ＲＡＭ１４、受信部１６、テレビ端子１７、入出力端子１８および画面生成手段２１を制御するＣＰＵ１９とを備える。
【００１６】
なお、本実施形態においては、入出力端子１８にＡＶアンプ３０が接続されており、ＡＶアンプ３０にはＣＤプレーヤー３１およびＭＤプレーヤー３２が接続されている。また、本実施形態においては、テレビ端子１７ではなくＡＶアンプ３０にテレビ３が接続されているものとする。
【００１７】
メディアＭ１にはパソコン４において、デジタルカメラ５により取得されたＥｘｉｆ形式の複数の静止画像データＳ０および動画像データが記録される。なお、静止画像データＳ０には、撮影日時を表す情報、撮影場所を表す情報、撮影者名、ストロボ使用の有無等を含むタグ情報が付与されている。
【００１８】
また、静止画像データＳ０と対応付けて音声を録音可能なデジタルカメラにおいては、静止画像データＳ０に音声データが付与されてデジタルカメラのメモリカードに記録される。このため、このようなデジタルカメラにおいて取得した静止画像データＳ０をメディアＭ１に記録した場合、その静止画像データＳ０には音声データが付与されることとなる。
【００１９】
ここで、メディアＭ１に記録されるＥｘｉｆ形式の静止画像データＳ０は、ＭＰＥＧ、ＪＰＥＧ等の形式により圧縮されている。デコーダー１２は、メディアＭ１に記録された圧縮された画像データを解凍し、再生のためにテレビ端子１７または入出力端子１８に入力するものである。
【００２０】
ＲＯＭ１３には、ＤＶＤプレーヤー１の動作プログラムが記録される。この動作プログラムは、データの再生をＣＰＵ１９に行わせるものであり、その操作は受信部１６が受信したリモコン１５の操作に基づいて行われる。なお、ＲＯＭ１３に代えて、専用チップによりデータの再生を行うようにしてもよい。
【００２１】
受信部１６は、リモコン１５によりユーザにより操作された操作内容を表す赤外線を受信し、その操作内容に応じてＤＶＤプレーヤー１を駆動する指示をＣＰＵ１９に入力する。ここで、リモコン１５により、再生する画像データおよび音声データの選択並びに種々の設定等、ＤＶＤプレーヤー１の全ての操作を行うことができる。
【００２２】
画面生成手段２１は、後述するようにメディアＭ１に記録された静止画像データＳ０または動画像データの再生およびＣＤプレーヤー３１に挿入されたＣＤに記録された音声データまたはＭＤプレーヤー２１に挿入されたＭＤに記録された音声データの再生が指示された場合に、メディアＭ１に記録された静止画像データＳ０または動画像データおよびＣＤまたはＭＤに記録された音声データを選択する選択画面を生成する。なお、本実施形態においては、メディアＭ１に記録された静止画像データＳ０およびＣＤプレーヤー３１に挿入されたＣＤ（以下メディアＭ２とする）に記録された音声データを再生するものとして説明する。以下、選択画面の生成について説明する。
【００２３】
まず、メディアＭ１から静止画像データＳ０のタグ情報に含まれる撮影日時を表す情報に基づいて、静止画像データＳ０のファイル名を撮影日毎にグループ化する。さらに、入出力端子１８経由でＣＤプレーヤー３１を操作し、メディアＭ２に記録された音声データのファイル名を取得する。そして、グループ化された静止画像データＳ０のファイル名および音声データのファイル名を一覧表示させた選択画面を生成して、これを入出力端子１８およびＡＶアンプ３０を通じてテレビ３に出力する。
【００２４】
図２は選択画面の例を示す図である。図２に示すように選択画面には、撮影日毎にグループ化された静止画像データＳ０の数およびファイル名が画面左側に、メディアＭ２に記録された音声データのファイル名が画面右側に一覧表示される。ここで、図２に示す選択画面においては、静止画像データＳ０については、２００２／４／２７にＤＳＣＦ０００１．ＪＰＧ〜ＤＳＣＦ０００３．ＪＰＧの３枚の静止画像データＳ０がグループ化され、２００２／５／３にＤＳＣＦ０００４．ＪＰＧ〜ＤＳＣＦ０００５．ＪＰＧの２枚の静止画像データＳ０がグループ化され、２００２／５／５にＤＳＣＦ０００６．ＪＰＧ〜ＤＳＣＦ０００８．ＪＰＧの３枚の静止画像データＳ０がグループ化されている。
【００２５】
また、ＤＳＣＦ０００１．ＪＰＧ〜ＤＳＣＦ０００３．ＪＰＧの３枚の静止画像データＳ０には、撮影時に同時に音声が録音されて、ＤＳＣＦ０００１．ＷＡＶ〜ＤＳＣＦ０００３．ＷＡＶの３つの音声データがＤＳＣＦ０００１．ＪＰＧ〜ＤＳＣＦ０００３．ＪＰＧの３枚の静止画像データＳ０にそれぞれ付与されていることが選択画面から分かる。
【００２６】
なお、静止画像データＳ０について、タグ情報に含まれる撮影場所を表す情報および撮影者名をファイル名と合わせて画像選択画面に含めてもよい。また、これ以外のストロボの有無等を表す情報を画像選択画面に含めてもよいことはもちろんである。
【００２７】
さらに、グループ化された静止画像データＳ０を代表する代表画像のサムネイル画像を画像選択画面に含めてもよい。ここで、ＤＶＤプレーヤー１のＣＰＵの能力はそれほど大きくないため、サムネイル画像は１つのみ表示することが好ましいが、ＣＰＵの能力に応じてより多くのサムネイル画像を画像選択画面に含めるようにしてもよい。
【００２８】
次いで、本実施形態の動作について説明する。図３は本実施形態において行われる処理を示すフローチャートである。なお、本実施形態においては、メディアドライブ１１にはメディアＭ１が挿入され、ＣＤプレーヤー３１にはメディアＭ２が挿入されているものとする。
【００２９】
まず、音声を再生するメディアの選択すなわちＤＶＤプレーヤー１を用いてメディアＭ１に記録された音声データを再生するか、ＡＶアンプ３０に接続されたＣＤプレーヤー３１を用いてメディアＭ２に記録された音声データを再生するかの選択が受け付けられる（ステップＳ１）。メディアＭ２が選択されると、その旨の情報がＡＶアンプ３０に入力される（ステップＳ２）。これにより、ＡＶアンプ３０は、ＤＶＤプレーヤー１のメディアＭ１に記録された静止画像データＳ０の再生時に、ＣＤプレーヤー３１のメディアＭ２に記録された音声データを再生するモードに切り換わる。
【００３０】
これとともに、メディアＭ１に記録された静止画像データＳ０のタグ情報が参照され（ステップＳ３）、さらにＡＶアンプ３０経由でＣＤプレーヤー３１のメディアＭ２に記録された音声データのファイル名が取得されて（ステップＳ４）、選択画面がテレビ３に表示される（ステップＳ５）。なお、メディアＭ１に静止画像データＳ０とともに動画像データが記録されている場合には、選択画面に動画像データのファイル名も含められる。
【００３１】
ユーザは選択画面を用いて再生する静止画像データＳ０および静止画像データＳ０とともに再生する音声データをリモコン１５を用いて選択する。この選択が受け付けられると（ステップＳ６）、選択された静止画像データＳ０がメディアＭ１から読み出されるとともに、選択された音声データがメディアＭ２から読み出され（ステップＳ７）、テレビ３において静止画像データＳ０および音声データが同時に再生され（ステップＳ８）、処理を終了する。
【００３２】
すなわち、ＤＳＣＦ０００１．ＪＰＧ〜ＤＳＣＦ０００３．ＪＰＧの３枚の静止画像データＳ０のように音声データが付与されている静止画像データＳ０が選択された場合であっても、メディアＭ２に記録されて選択された音声データが静止画像データＳ０と同時に再生される。
【００３３】
なお、静止画像データＳ０に代えて動画像データが選択された場合には、動画像データが再生されることとなる。ここで、動画像データには通常音声が含まれているが、本実施形態においては、動画像データの再生時には選択画面において選択された音声データが再生される。
【００３４】
一方、ステップＳ１においてメディアＭ１が選択された場合には、その情報がＡＶアンプ３０に入力される（ステップＳ１０）。これにより、ＡＶアンプ３０は、ＣＤプレーヤー３１のメディアＭ２に記録された音声データを再生しないモードに切り換わる。
【００３５】
これとともに、メディアＭ１に記録された静止画像データＳ０のタグ情報が参照され（ステップＳ１１）、選択画面がテレビ３に表示され（ステップＳ１２）、再生するデータの選択が受け付けられる（ステップＳ１３）。なお、メディアＭ１には静止画像データＳ０のみならず動画像データも記録されている場合がある。したがって、選択されたデータが静止画像データＳ０である場合には、何ら音声を再生することなく静止画像データＳ０がテレビ３において再生され（ステップＳ１４）、処理を終了する。なお、ＤＳＣＦ０００１．ＪＰＧ〜ＤＳＣＦ０００３．ＪＰＧの３枚の静止画像データＳ０のように音声データが付与されている静止画像データＳ０が選択された場合は、静止画像データＳ０とともにこれに付与された音声データも同時に再生される。
【００３６】
一方、選択されたデータが動画像データである場合には、動画像データがそれに含まれる音声とともに再生され（ステップＳ１５）、処理を終了する。
【００３７】
このように、本実施形態によれば、メディアＭ１に記録された静止画像データＳ０およびメディアＭ２に記録された音声データの選択を受け付け、選択された静止画像データＳ０および音声データを同時に再生するようにしたため、オーサリングの知識がなくても再生したい静止画像データＳ０および音声データを選択するという簡易な操作を行うのみで、静止画像データＳ０および音声データを同時に再生することができる。
【００３８】
また、メディアＭ２に記録された複数の音声データから、静止画像データＳ０とともに再生する音声データを選択すればよいため、静止画像データＳ０とともに再生する音声データの選択肢を広げることができる。
【００３９】
なお、上記実施形態においては、ＣＤプレーヤー３１に挿入されたメディアＭ２に記録された音声データを再生するようにしているが、ＭＤプレーヤー３２に挿入されたメディアに記録された音声データを選択画面に加え、ＣＤプレーヤー３１およびＭＤプレーヤー３２の双方に挿入されたメディアに記録された音声データについて選択画面において選択を受け付けるようにしてもよい。
【００４０】
また、上記実施形態においては、ＤＶＤプレーヤー１をＡＶアンプ３０に接続しているが、ＤＶＤプレーヤー１にＡＶアンプ３０の機能を持たせるようにしてもよい。この場合、ＤＶＤプレーヤー１にＣＤプレーヤー３１やＭＤプレーヤー３２が直接接続されることとなる。
【図面の簡単な説明】
【図１】本発明の実施形態によるデータ再生装置を適用したＤＶＤプレーヤーの構成を示す概略ブロック図
【図２】選択画面の例を示す図
【図３】本実施形態において行われる処理を示すフローチャート
【符号の説明】
１　　ＤＶＤプレーヤー
３　　テレビ
４　　パソコン
５　　デジタルカメラ
１１　　メディアドライブ
１２　　デコーダー
１３　　ＲＯＭ
１４　　ＲＡＭ
１５　　リモコン
１６　　受信部
１７　　テレビ端子
１８　　入出力端子
１９　　ＣＰＵ
２１　　画面生成手段
３０　　ＡＶアンプ
３１　　ＣＤプレーヤー
３２　　ＭＤプレーヤー
【図１】
2004120402.tif 000003
【図２】
2004120402.tif 000004
【図３】
2004120402.tif 000005